(57)【要約】      （修正有）【課題】ペットが排泄を行うことで生きた草が尿と臭いを吸収し、維持と廃棄に関する飼い主の負担を軽減した持ち運び可能及び完全使い捨て可能なペット用トイレを提供する。【解決手段】基部１０よりフタ１３と必要に応じて取り外し部１１を取り除くか折り畳み、設置してペットがトイレとして使用できるようにする。任意の使用期間の後に生きた草１２を燃えるゴミとして廃棄し、基部１０にフタ１３を再度取り付けて廃棄する。その後、定期配送された新品を新たに設置する。【選択図】図１
2017023115.tif 000002
【特許請求の範囲】
【請求項１】
ペット用トイレユニットの製造、継続的な配送、交換に関する方法。
【請求項２】
水密性のある素材で作成、裏打ち、又はコーティングされた容器と、容器の基部から伸びて接続することでペットの排泄物集積用の生きた草を備え付けるための内側空洞部を形成する複数の側壁と、取り外し可能もしくは折り畳み可能な備え付けのフタを有したペットトイレのユニットの製造方法。
【請求項３】
ペット用トイレユニットの継続的な配送と交換と、前述と同様に実施される各ユニットの製造と、１名以上の顧客に対する配送済みユニットと交換される新規ユニットの継続的提供のために指定された期間での定期的配送と交換を達成する、継続的な配送および交換の方法であって、
前記ユニットが初回利用のため、生きた草の運搬するためと完全使い捨て可能なペット用品としての役割を果たす設計を有し、
前記ユニットにユニット一式の運搬と廃棄の利便性を可能にするカバーもしくは折り込み式のフタが備え付けられ、
前記ユニットの基部容器をカバーもしくはフタが覆っており、生きた草を完全に内包する状態で空気の循環を可能にする１箇所以上の開口部を有し、
前記継続的配送および交換の方法によって、自己完結型ユニットを一式として配送し、新たなユニットの到着時には一式として交換され、
前記継続的配送および交換の方法によって、空気の循環によってユニットの生きた草の新鮮さを保ち、
前記継続的配送および交換の方法によって、ユニットが廃棄され新しく配送されたユニットと交換されるまでユニットの生きた草の新鮮さを保ち、
前記継続的配送および交換の方法によって、ユニットのフタの取り外しもしくは折り畳みによってユニットへのペットの進入を可能にするユニットを提供する方法。
【請求項４】
請求項１に記載したペット用トイレユニットの製造および継続的配送と交換の方法であって、
前記の各ユニットは少なくとも１名以上の顧客の元に一式として配送し、
前記の配送済みユニット一式を新たなユニットの到着と併せて廃棄することを１名以上の顧客に対して提案、推奨、および助言する方法。
【請求項５】
請求項１に応じたペット用トイレユニットの製造および継続的な配送と交換の方法であって、
前記ユニットのフタもしくはカバーを配送後に取り外しし、廃棄手順を円滑に進められるように、使用中は保持して廃棄時はユニットの容器に再び配置し直すことができ、
前記ユニットの清掃、使用済みの生きた草の取り外し、ユニットへの交換用の草の設置が不要で、
前記ユニットに洗浄もしくは／又は消毒が必要となる常置の再利用が可能な基部、人工芝、網目、またその他の非腐敗性の構成部品を使用せず、
前記各ユニットに尿収集トレーなど尿で満たされるパーツ、およびその洗浄又は消毒を必要としない方法。
【発明の詳細な説明】
【技術分野】
【０００１】  本発明は、生きた草を使用してペットより排泄される尿と尿より発せられる臭いを吸収するペット用トイレ本体及びその製造方法と提供方法に関する。
【背景技術】
【０００２】  本発明は一般的にペット用排泄物の容器に関するものである。具体的には、本発明は水密性を有し、生きた草を備え付けた持ち運び可能及び完全使い捨て可能な容器によって構成される。【０００３】  持ち運び可能及び使い捨て可能な生きた草のペット用トイレは、ペットたちの排泄物の処理というペットの飼い主が最も悩みうんざりしている問題の一つを解決する。自宅で飼っている犬を長期間世話することのできない飼い主は、犬の排泄への対処方法が限られている。また降雨中や夜間での犬の散歩は快適性及び個人の安全性の観点から、ほとんどのペットの飼い主が出来るだけ避けたがる状況である。年を重ねた飼い主や、老齢もしくは怪我をした犬にとって、自身の動きの不自由さもまたペットの排泄物への対処を困難なものにしている。またアパートビルなどの集合住宅に暮らす個人も頻繁に飼い犬の散歩に出かけることに不便さを感じている。【０００４】  これらの問題に対処するため、犬が必要に応じて飼い主によって野外での散歩に連れられることなく、屋内で排泄行為を行えるようにする装置が他者によって提案されている（例えば、特許文献１参照）。
以下、従来の○○について説明する。【０００５】  Ｂｒａｚｚｅｌｌの米国特許出願番号第３，７５２，１２１号では人工芝と排泄物吸収用の使い捨て可能な吸収性パッドを使った動物用トイレが開示されている。吸収性パッドは手で交換しなければならず、人工芝は時間経過によるバクテリア蓄積を防ぐためには洗浄と消毒が必要である。【０００６】  Ｈｉｌｌｍａｎの米国特許出願番号第１０，８８０，２８５号ではメッシュ状スクリーンを尿収集小室の上に設置したものが開示されている。尿はトレー部分の基部に集積され、必要に応じて飼い主が手で廃棄される。【０００７】  ＭａｃＬａｉｎｅの米国特許出願番号第６，０７９，３６３号では貯蔵水の入った常置の容器によって支えられた生きた草のマットが開示されている。生きた草は時間経過とともに犬の尿によって死滅し、草の取り出しと入れ替えが必要となる。
【先行技術文献】
【特許文献】
【０００８】
【特許文献１】米国特許出願番号第３，７５２，１２１号
【特許文献２】米国特許出願番号第１０，８８０，２８５号
【特許文献３】米国特許出願番号第６，０７９，３６３号
【発明の概要】
【発明が解決しようとする課題】
【０００９】  以上の装置及び類似する装置が屋内でのペット排泄物を収集する方法として提供されているが、これらはいくつかの不便な点を抱えている。常置の再利用可能な容器が非腐敗性の素材（人工芝、スクリーン等）を内包している場合、ペットの飼い主は悪臭防止とバクテリア蓄積の防止のため、容器全体、容器の基部、又は常置の部品の一部を定期的に洗浄・消毒しなければならない。一方で常置の再利用可能な容器が生きた草を内包している場合、草の取り出しと入れ替えが必要となる。この形での生きた草の取り扱いは不便かつ汚く、面倒な作業になる場合がある。
【課題を解決するための方法】
【００１０】  本発明は以下２つの主要部品によって構成されるユニットである。（１）水密性のある完全使い捨て可能な型ユニット。（２）生きた草、生きた芝生（洗浄済みもしくは土を取り除いた芝生を含む）、もしくは草の実を含み発芽させる中間素材。
【００１１】  草についてはユニットの空洞部分に備え付けられる。これら構成要素を組み込んだものが、本発明を完全使い捨て可能かつ容易な輸送が可能なユニットを形成する。
【００１２】  提供される持ち運び可能及び完全使い捨て可能な屋内用ペット用トイレには、単一のユニットに複数の機能を組み込まれている。これには水密性のある素材で作られた、もしくは同素材でコーティングされた容器が含まれる。
【００１３】  容器の基部からは複数の側壁が伸びており、これらが接続することでペットの排泄物集積用の生きた草を備え付けるための内部空洞部が形成される。
【００１４】  ユニット自体の持ち運び性と廃棄し易さに寄与する取り外し可能なフタ、もしくは折り返し型のフタが備え付けられている。
【００１５】  本ユニットは自宅内、軒先、バルコニーなど、ペットのアクセスしやすい場所にある平行な面（床など）の上に設置することができる。
【００１６】  新たなユニットが指定された期間毎に定期的に顧客の元へ配送されるよう設計されており、この持ち運び可能、完全な使い捨て可能なユニットは集積用トレーの中身を空にする、人工部品の洗浄又は消毒を行う、あらゆる構成部品を交換するなどの作業が不要である。本ユニットは、新しいユニットの配送時に一式として運搬され、廃棄されるように設計されている。
【発明の効果】
【００１７】  本発明は、生きた草が備え付けられた、水密性のある使い捨て容器を含む完全に使い捨て可能なユニットで形成されているため、保守作業の必要性の少なさとそれに因る利便性の高さという大きなメリットを提供できる。この点において本発明は他のペット用トイレとの明確な違いが存在する。
【００１８】  本ユニットには洗浄又は消毒の必要がある常置の基部、及び人工芝や格子などの非腐敗性部品が備わっておらず、また本ユニットには常置の容器から取り外し及び取り換えをしなければならない尿を含んだ部品が無い。
【００１９】  以上に記載されているユニットは一式として便利に持ち運ぶことができ、廃棄することができる。
【図面の簡単な説明】
【００２０】以下の図面を参照することで本発明の特徴、及び利点をより理解することができる。
図面は以下の通りとなる。【００２１】
【図１】ペット用トイレ全体及び取り外し可能部品を斜め視点から見た３次元側面図である。
【図２】ミシン目部を任意で取り外し、２つの異なるユニットの基部を突き合わせる形で配置することで、２つの基部を運結できることを示した斜め視点から見た３次元側面図である。
【符号の説明】
【００２２】１０  基部
１１  側面部品
１２  生きた草
１３  フタ
【発明の詳細な説明】
【００２３】  図１に示す通り、生きた草（１２）はユニット基部（１０）に備え付けられ、さらに取り外し可能なフタ（１３）が備え付けられている。ユニット基部（１０）には一箇所以上のミシン目が提供される可能性があり、これによって任意で基部（１０）側面から素材の一部を手で破断する（１１）か、任意で折りたたむ（１１）ことができるようになっている。任意の破断箇所もしくは折り込み箇所は子犬や比較的小型の犬が草部分に楽にアクセスできるようにするためのものである。
【００２４】  図２に示す通り、これら破断可能箇所を２つ以上のユニットの基部を連結（１０）し、大型犬用により広い面積を確保するのに使用することもできる。この目的において、２つ以上のユニットを固定するためのクリップやその他装置が含まれていても良い。
【００２５】  図１において、ユニット基部（１０）又はフタ（１３）は液体に対する水密性のある素材で作られている、もしくはコーティングされている。ワックスでコーティングを施した波型のボール紙がこの特定の目的に使用できる。ユニット基部（１０）の表面には、生きた草の寿命を延長するためのビタミン又はその他栄養分や物質によって構成されたコーティングやシーラントが加えられていても良い。
【００２６】  図１において、ユニット基部（１０）及びフタ（１３）の推奨される形状は長方形として示しているが、他の形状も可能である。取り外し可能なフタ（１３）及び基部の一部（１０）には運送時の空気循環を促すための穴やミシン目が施されていても良い。ユニットがペットの位置へ運搬された時点で、フタ（１３）は取り外されるか折り込まれ、ユニットへのペットの出入りを可能とする。ユニットの廃棄する時にはフタ（１３）を再びユニット基部（１０）の上に置き、廃棄段階における個人によるユニットの取り扱いによる汚れや不快な状況を防ぐ。ユニット全体（１０、１２、１３）が一式として廃棄される。
【００２７】  ユニット基部（１０）と生きた草（１２）の間に消臭素材もしくは液体吸収素材が使用されていても良い。生きた草（１２）には虫除け剤又は消臭剤の加工を施されていても良い。また糞尿を分解する物質での加工が施されていても良い。
【００２８】  生きた草（１２）が運搬中にユニット基部（１０）から外れないように、生きた草（１２）の下に固定用の物質を使用しても良い。
【００２９】  ペット用トイレ用機の中に備え付ける生きた草（１２）の量を増やす方法は複数ある。生きた草（１２）はユニット基部（１０）内部及びフタ（１３）内部のどちらにも固定することができ、これによって２つの別々のトイレを作り出し、組み合わせることでより大きな面積を作り出すことができる。また異なるサイズの入れ物を使用しても良い。その一例として、運搬中に草を折り込むか丸めて運ぶことのできるスーツケース型ボックスがある。この設計ではフタが展開し、草を含む基部の一部を構成する。
【発明を実施するための裁量の形態】
【００３０】  本願に記載された本発明の詳細は、当業者にとって現時点で最良の形態と思われるものの製作と使用されるものであるが、当業者は本願における特定の実施形態、方法、及び例の変形、組み合わせ、対応特許の存在を理解するものとする。従って本発明は、以上に示した実施形態、方法及び例に限定されず、主張する本発明の範囲及び趣旨に含まれるあらゆる実施形態ならびに方法に限定されるものとする。
【図１】
2017023115.tif 000003
【図２】
2017023115.tif 000004